(57)【要約】【課題】被介護者が着用するスカート及びズボンであって、介護者が被介護者にスカート及びズボンを着脱させることが容易であり、かつ、被介護者が脱衣しにくい介護用スカート及びズボンを提供する。【解決手段】介護用スカート１の前中心にオープンファスナー６を設け、オープンファスナー６のスライダー７に折り曲げ可能な引き手部８を接続し、引き手部８にボタンホールを設け、介護用スカート１の内側の後中心下部にボタン９を設けた介護用スカートとする。これにより、被介護者が介護用スカート１を脱衣しようとした場合には、被介護者の股に引き手部８が引っかかり脱衣しにくい一方、介護者は介護用スカート１の前面に配したオープンファスナー６によりスカートの着脱が容易である。【選択図】図１
0003142485.tif 000002
【実用新案登録請求の範囲】
【請求項１】
介護を受ける被介護者に着用させる介護用スカートであって、
前記介護用スカートの前中心にオープンファスナーを下向きに設け、前記オープンファスナーのスライダーに折り曲げ可能な引き手部を接続し、前記引き手部に少なくとも１つのボタンホールを設け、前記スカートの後中心下部の表側または裏側に少なくとも１つのボタンを設けたことを特徴とする介護用スカート。
【請求項２】
介護を受ける被介護者に着用させる介護用スカートであって、
前身頃および後ろ身頃が一体となったスカート本体と、前記本体の上端に縫着したウエストベルトと、前記本体の左右端にそれぞれ縫着した前立てと、前記本体の背面に後中心線に沿って縫着したベルト布とを有することを特徴とする請求項１に記載の介護用スカート。
【請求項３】
前記ウエストベルトの寸法が、前記被介護者のウエスト寸法と同一、または少し大きくしたことを特徴とする請求項１または２に記載の介護用スカート。
【請求項４】
前記前中心下部にループ部材を設けたことを特徴とする請求項１ないし３いずれかに記載の介護用スカート。
【請求項５】
前記ウエストベルトに伸縮自在の弾性部を設けたことを特徴とする請求項１ないし４いずれかに記載の介護用スカート。
【請求項６】
前記介護用スカートの表側の後中心に前記引き手と接続可能なベルトを設けたことを特徴とする請求項１ないし５いずれかに記載の介護用スカート。
【請求項７】
介護を受ける被介護者に着用させる介護用ズボンであって、
ズボン本体と、前記ズボン本体の上端に縫着したウエストベルトと、前記ズボン本体の股上部前面に前中心線に平行に縫着した前立てと、前記股上部背面に後中心線に平行に逢着したベルト布とを有し、
前記前立ての中心線に沿ってスライドファスナーを下向きに設け、スライドファスナーのスライダーに折り曲げ可能な引き手を接続し、前記引き手に少なくとも１つのボタンホールを設け、前記ベルト布の後中心下部に少なくとも１つのボタンを設けたことを特徴とする介護用ズボン。
【請求項８】
前記ウエストベルトの寸法が、前記被介護者のウエスト寸法と同一、または少し大きくしたことを特徴とする請求項７に記載の介護用ズボン。
【請求項９】
前記介護用ズボンの股上部の前中心下部に、少なくとも１つのベルトループを設けたことを特徴とする請求項７または８に記載の介護用ズボン。
【考案の詳細な説明】
【技術分野】
【０００１】
本考案は、介護を受ける被介護者に着用させる介護用スカート（「介護用腰巻き」ともいう）及びズボンであって、介護者が着脱容易であり、被介護者が脱衣しにくい介護用スカート及びズボンに関する。
【背景技術】
【０００２】
従来、被介護者に着用させる衣服であって、介護者および被介護者が着脱容易な衣服としては、股上部後身頃中央から左右に全開し、当該股上部後身頃が股上前身頃に続き、当該後身頃および前身頃の縁部に面ファスナーを設けることにより、着脱容易とした介護用パジャマのズボンが提案されている（例えば特許文献１）。また着脱にオープンファスナーを用いたものとして、ズボン本体の股下から左足の内股側の裾と右足の内股側の裾にかけてそれぞれオープンファスナーを取り付けることにより、ズボンの着脱が容易である介護用パジャマのズボンが提案されている（例えば特許文献２）。
【特許文献１】特開２００６−２００１０５号公報（図１参照）
【特許文献２】実用新案登録第３０７７８７４号公報（図１参照）
【考案の開示】
【考案が解決しようとする課題】
【０００３】
しかしながら、上記した介護用パジャマのズボンには、次のような点で改良すべき課題がある。
【０００４】
上記特許文献１および特許文献２に記載の発明はいずれも、面ファスナーまたはオープンファスナーを用いることにより、被介護者の着用している衣服を介護者によって着脱が容易ではあるが、被介護者によっても着脱が容易であり、被介護者が就寝中に自ら下着やおしめを脱衣するといった事態を防止することができない。
【０００５】
本考案は上述の点に鑑みなされたもので、スカートの前中心にオープンファスナーを下向きに設け、かつ、前記オープンファスナーのスライダーに折り曲げ可能な引き手を接続し、前記引き手に設けたボタンホールを、前記スカートの内側または外側の後中心下部に設けたボタンに掛け止めることができる介護用スカート及び介護用ズボンを提供することを目的とする。
【課題を解決するための手段】
【０００６】
上記の目的を達成するために本考案請求項１に係る介護用スカートは、介護用スカートの前中心にオープンファスナーを下向きに設け、前記オープンファスナーのスライダーに折り曲げ可能な引き手を接続し、前記引き手に少なくとも１つのボタンホールを設け、前記介護用スカートの後中心下部の表側または裏側に少なくとも１つのボタンを設けたことを特徴とする。
【０００７】
このようにすれば、被介護者が前記介護用スカート着用時には、被介護者が前記介護用スカートを上方に脱衣しようとした場合に、前記ボタンに前記引き手部が接続されているため、前記引き手部が股に引っかかり脱衣しにくい。
【０００８】
一方、介護者が被介護者着用の前記介護用スカートを脱衣させる場合には、掛け止めたボタンを取り外し、オープンファスナーを下から上へスライドすることで、前記介護用スカートの前中心が全開し、脱衣が容易である。
【０００９】
請求項２に記載のように、前記介護用スカートが、前身頃および後ろ身頃が一体となったスカート本体と、前記本体の上端に縫着したウエストベルトと、前記本体の左右端にそれぞれ縫着した前立てと、前記本体の背面に後中心線に沿って縫着したベルト布とを有することを特徴とする。
【００１０】
このようにすれば、前記請求項１記載の場合と同様の効果を奏すると共に、前記前身頃および後ろ身頃が一体となったスカート本体を変更することのみで、容易に前記介護用スカートの見栄えを変更することが可能となる。
【００１１】
請求項３に記載のように、前記ウエストベルトの寸法が、前記被介護者のウエスト寸法と同一、または少し大きくしたことを特徴とする。
【００１２】
このようにすることで、、被介護者が前記介護用スカートを下方に脱衣しようとした場合に、前記ウエストベルトが被介護者のウエストまたはヒップに引っかかり脱衣しにくい。さらには、前記ウエストベルトから被介護者がスカートの中に手を入れることができず、下着やおしめをいじることを防止できる。
【００１３】
請求項４に記載のように、前記介護用スカートの前中心下部に一対のループ部材を設けたことを特徴とする。
【００１４】
このようにすれば、被介護者が前記介護用スカート着用時に、被介護者が前記介護用スカートを上方に脱衣しようと前記引き手を上げ、前記介護用スカートの左前身頃と右前身頃を左右に開こうとした場合に、前記引き手がループに引っかかり、前記介護用スカートの左前身頃と右前身頃が左右に開かず、さらに脱衣がしにくい。
【００１５】
請求項５に記載のように、前記ウエストベルトに伸縮自在の弾性部を設けたことを特徴とする。
【００１６】
このようにすれば、被介護者が前記介護用スカート着用時に、ウエストがきつく閉まりすぎず快適である。また介護者が被介護者に前記スカートを着脱する際には、前記ウエストベルトが伸縮し、着脱がしやすい。
【００１７】
請求項６に記載のように、前記介護用スカートの表側の後中心に前記引き手と接続可能なベルトを設けたことを特徴とする。
【００１８】
このようにすれば、前記ボタンがとれた場合にも、前記引き手を前記ベルトに接続することができる。
【００１９】
請求項７に記載のように、介護を受ける被介護者に着用させる介護用ズボンであって、ズボン本体と、前記ズボン本体の上端に縫着したウエストベルトと、前記ズボン本体の股上部前面に前中心線に平行に縫着した前立てと、前記股上部背面に後中心線に平行に逢着したベルト布とを有し、前記前立ての中心線に沿ってスライドファスナーを下向きに設け、スライドファスナーのスライダーに折り曲げ可能な引き手を接続し、前記引き手に少なくとも１つのボタンホールを設け、前記ベルト布の後中心下部に少なくとも１つのボタンを設けたことを特徴とする
このようにすれば、被介護者が前記介護用ズボン着用時には、被介護者が前記介護用ズボンのスライドファスナーを開けようとした場合に、スライドファスナーの引き手が前記ベルト布に設けられたボタンに引っかかり、スライドファスナーが開かず、脱衣しにくい。一方、介護者が被介護者着用の前記介護用ズボンを脱衣させる場合には、掛け止めたボタンを取り外し、スライドファスナーを下から上へスライドすることで、前記介護用ズボンの股上部前中心が全開し、脱衣が容易である。
【００２０】
請求項８に記載のように、前記ウエストベルトの寸法が、前記被介護者のウエスト寸法と同一、または少し大きくしたことを特徴とする。
【００２１】
このようにすれば、、被介護者が前記介護用ズボンを下方に脱衣しようとした場合にも、前記ウエストベルトが被介護者のウエストまたはヒップに引っかかり脱衣しにくい。
【００２２】
請求項９に記載のように、前記介護用ズボンの股上部の前中心下部に、少なくとも１つのベルトループを設けたことを特徴とする。
【００２３】
このようにすれば、被介護者が前記介護用ズボン着用時に、被介護者が前記介護用ズボンのスライドファスナーを開けようとした場合に、前記引き手部がループに引っかかり、前記介護用ズボンのスライドファスナーが開かず、さらに脱衣しにくい。
【考案の効果】
【００２４】
本考案は上記の構成からなっているため、被介護者が着用状態では脱衣しにくく、かつ、介護者が被介護者のスカート又はズボンを着脱させることが容易である。
【考案を実施するための最良の形態】
【００２５】
以下、本考案に係る介護用スカート（「介護用腰巻き」ともいう）の実施形態を図面を用いて説明する。
【００２６】
図１は本考案の実施例に係る介護用スカートのオープンファスナーを開けた状態の正面図である。図２は本考案の実施例に係る介護用スカートのオープンファスナーを閉じた状態の正面図である。図３は本考案の実施例に係る介護用スカートのオープンファスナーを閉じ、引き手部をボタンに掛けた状態の斜視図である。
【００２７】
図１に示すように、介護用スカート（「介護用腰巻き」ともいう）１は、スカート本体２と、一対の前立て３と、ウエストベルト４とを有し、後中心線に沿うようにベルト布５がスカート本体２に縫着されている。なおスカート本体２は前身頃と後ろ身頃が一体となった１枚の布で構成されているため、スカート本体２を付け替えることで、容易に介護用スカート１のデザインを変更することができる。
【００２８】
一対の前立て３の前中心側縁部にはオープンファスナー６が前立て３の上端から、下端より少し上の位置にかけて下向きに縫着されている。そしてオープンファスナー６のスライダー７に引き手８が設けられており、引き手８の中心線に沿って、ボタンホール８ａ、８ｂ、８ｃが設けられている。また一対の前立て３の前中心側縁部の下端にはループ部材１０がそれぞれ縫着されている。
【００２９】
後中心線に沿って縫着されたベルト布５の下部にはループ部材１１が上向きに縫着されており、そのループ部材１１の上方にボタン９が取り付けられている。またボタン９の上方にはベルト通し１２が縫着され、ベルト通し１２の上方にリボン１３が縫着されている。一方、介護用スカート１の後中心線に沿って、ベルト１５がスカート本体２の背面表側に縫着されている（図５参照）。
【００３０】
ウエストベルト４の内部にはベルト芯（図示せず）が通り、ウエストベルトの脇部１４の内部のベルト芯は伸縮可能なゴム製のベルト芯を用い、それ以外の部分には伸縮性のないベルト芯が用いられている。なお前記伸縮可能なゴム製のベルト芯と前記伸縮性のないベルト芯は端部で縫着結合され、一体となっている。
【００３１】
次に介護用スカート１の装着時であるオープンファスナーを閉じた状態の図２、図３を用いて、介護用スカート１の実施態様を説明する。
【００３２】
図２および図３に示すとおり、オープンファスナー６は介護用スカート１の前中心に下向きに取り付けられており、引き手８を持ち、スライダー７を上向きにスライドさせると、介護用スカート１の前立て３がスカート本体２と共に左右に開き、下から開いていく（図４参照）。そしてスライダー７を上端まで引き上げると、前立て３とともにスカート本体２が左右に開いた状態となり、図１に示すような帯状となる。これにより、介護者が介護用スカート１を被介護者に着用させる際には、通常のスカートのように下から足を通し履かせる必要はなく、帯を巻くように介護用スカート１を巻き、オープンファスナー６のスライダー７を上から下にスライドさせることで容易に履かせることができる。なおこの時、ウエストベルト４のサイズを被介護者のウエストサイズに合わせることで、被介護者が介護用スカート１を脱衣しようとした場合にも、ウエストベルト４が引っかかり脱衣を防止することができる。さらに、介護用スカート１のウエストサイズを被介護者のウエスト寸法と略同じとすることで、ウエスト部から被介護者が介護用スカート１の中に手を入れることができず、下着やおしめをいじることを防止できる。なお、ウエストベルト４の内側にサイズ調節用のベルト（図示せず）を別途設けることで、ウエストベルト４のサイズを調節でき、被介護者のウエストサイズに合わせることもできる。
【００３３】
その後、スライダー７に接続された引き手部８をループ部材１０に挿通した後、被介護者の股下を通し、ループ部材１１に挿通して、ボタンホール８ａ、８ｂ、８ｃのいずれかをボタン９に留める。これにより、被介護者が介護用スカート１を上方にあげ、脱衣しようとした場合には、引き手８が股に引っかかり脱衣を防止する。またボタン９が介護用スカート１の後ろ身頃内側に取り付けられているため、被介護者がボタン９を外すことが容易でなく、同時に介護用スカート１の脱衣がしにくい。さらには、介護用スカート１のスカート本体２を左右に開き、スライダー７を上方にスライドさせようとも、引き手部８がループ部材１０にかかり、スカート本体２の開きを防止しスライダー７のスライドも防止できる。また必要に応じ、引き手部８をベルトループ１２に通し、引き手８の余り布部分を保持することもできる。そしてボタン９が取れてしまった場合には、リボン１３で引き手８を結び、保持することも可能である。また引き手８をベルト１５に接続することもできる（図５参照）。
【００３４】
続いて、介護者が被介護者の介護用スカート１を脱衣させる場合には、介護者は引き手部８からボタン９を外した後、ループ部材１１、ループ部材１０の順に引き手８を抜き、スライダー７を上方にスライドしオープンファスナー６を開けることで、容易に脱衣させることができる。
【００３５】
続いて、本考案に係る介護用ズボンの実施形態を図面を用いて説明する。
【００３６】
図６は本考案の実施例に係る介護用ズボンのスライドファスナーを開けた状態の正面図である。図７は本考案の実施例に係る介護用ズボンのスライドファスナーを閉じた状態の斜視図である。図８は本考案の実施例に係る介護用ズボンのスライドファスナーを閉じた状態の背面図である。
【００３７】
図６に示すように、介護用ズボン２１は、ズボン本体２２と、一対の前立て２３と、ウエストベルト２４とを有し、後中心線に沿うようにベルト布２５がズボン本体２２の表側に縫着されている。
【００３８】
一対の前立て２３の前中心側縁部にはスライドファスナー２６が前立て２３の上端から、下端より少し上の位置にかけて下向きに縫着されている。そしてスライドファスナー２６のスライダー２７に引き手２８が設けられており、引き手２８の中心線に沿って、ボタンホール２８ａ、２８ｂ、２８ｃが設けられている。また一対の前立て２３の前中心下部にはベルトループ３０が縫着されている。後中心線に沿って縫着されたベルト布２５の下部にはボタン２９が取り付けられている。またボタン２９の上方にはベルト通し３１が縫着されている。
【００３９】
ウエストベルト２４の内部にはベルト芯（図示せず）が通り、ウエストベルト２４の脇部３２の内部のベルト芯は伸縮可能なゴム製のベルト芯を用い、それ以外の部分には伸縮性のないベルト芯が用いられている。なお前記伸縮可能なゴム製のベルト芯と前記伸縮性のないベルト芯は端部で縫着結合され、一体となっている。
【００４０】
次に介護用ズボン２１の装着時であるスライドファスナーを閉じた状態の図７、図８を用いて、介護用ズボン２１の実施態様を説明する。
【００４１】
図７および図８に示すとおり、スライドファスナー２６は介護用ズボン２１の前中心に下向きに取り付けられており、引き手２８を持ち、スライダー２７を上向きにスライドさせると、介護用ズボン２１の前立て２３がズボン本体２２の股上部と共に左右に開き、下から開いていく（図６参照）。そしてスライダー２７を上端まで引き上げると、前立て２３とともにズボン本体２２が左右に開いた状態となる。これにより、介護者が介護用ズボン２１を被介護者に着用させる際には、通常のズボンのように下から足を通し履かせ、スライドファスナー２６のスライダー２７を上から下にスライドさせることで容易に履かせることができる。なおこの時、ウエストベルト２４のサイズを被介護者のウエストサイズに合わせることで、被介護者が介護用ズボン２１を脱衣しようとした場合にも、ウエストベルト２４が引っかかり脱衣がしにくい。
【００４２】
その後、スライダー２７に接続された引き手２８をベルトループ３０に挿通した後、被介護者の股下を通し、ボタンホール２８ａ、２８ｂ、２８ｃのいずれかをボタン２９に留める。これにより、被介護者が介護用ズボン２１を上方にあげ、脱衣しようとした場合には、ボタン２９が介護用ズボン２１の後ろ身頃内側に取り付けられているため、被介護者がボタン２９を外すことが容易でなく、同時に介護用ズボン２１の脱衣がしにくい。さらには、介護用ズボン２１のズボン本体２２を左右に開き、スライダー２７を上方にスライドさせようとも、引き手２８がベルトループ３０にかかり、スライダー２７のスライドを防止でき、ズボン本体２２の股上部の開きも防止できる。また必要に応じ、引き手２８をベルトループ３１に通し、引き手２８の余り布部分を保持することもできる。
【００４３】
また、介護者が被介護者の介護用ズボン２１を脱衣させる場合には、介護者は引き手２８からボタン２９を外した後、ベルトループ３０から引き手２８を抜き、スライダー２７を上方にスライドしスライドファスナー２６を開けることで、容易に脱衣させることができる。
【図面の簡単な説明】
【００４４】
【図１】本考案の実施例に係る介護用スカートのオープンファスナーを開けた状態の正面図である。
【図２】本考案の実施例に係る介護用スカートのオープンファスナーを閉じた状態の正面図である。
【図３】本考案の実施例に係る介護用スカートのオープンファスナーを閉じ、引き手部をボタンに掛けた状態の斜視図である。
【図４】本考案の実施例に係る介護用スカートのオープンファスナーを引き上げている状態の正面図である。
【図５】本考案の実施例に係る介護用スカートのオープンファスナーを閉じ、引き手部をベルトに掛けた状態の斜視図である。
【図６】本考案の実施例に係る介護用ズボンのスライドファスナーを開けた状態の正面図である。
【図７】本考案の実施例に係る介護用ズボンのスライドファスナーを閉じた状態の斜視図である。
【図８】本考案の実施例に係る介護用ズボンのスライドファスナーを閉じた状態の背面図である。
【符号の説明】
【００４５】
１    介護用スカート（介護用腰巻き）
２    スカート本体
３    前立て
４    ウエストベルト
５    ベルト布
６    オープンファスナー
７    スライダー
８    引き手
８ａ、８ｂ、８ｃ    ボタンホール
９    ボタン
１０、１１    ループ部材
１２    ベルトループ
１３    リボン
１４    ウエストベルトの脇部
１５    ベルト
２１    介護用ズボン
２２    ズボン本体
２３    前立て
２４    ウエストベルト
２５    ベルト布
２６    スライドファスナー
２７    スライダー
２８    引き手
２８ａ、２８ｂ、２８ｃ    ボタンホール
２９    ボタン
３０、３１    ベルトループ
３２    ウエストベルトの脇部
【図１】
0003142485.tif 000003
【図２】
0003142485.tif 000004
【図３】
0003142485.tif 000005
【図４】
0003142485.tif 000006
【図５】
0003142485.tif 000007
【図６】
0003142485.tif 000008
【図７】
0003142485.tif 000009
【図８】
0003142485.tif 000010